(57)【特許請求の範囲】
【請求項１】
巻回軸線を有するインダクタを含んでいる共振回路及び無線ＩＣチップを含んでいる無線ＩＣタグであって、前記共振回路は、前記無線ＩＣチップに電気的に接続され、かつ、所定の共振周波数を有している、前記無線ＩＣタグと、
医療用金属製器具と、
を備えており、
前記医療用金属製器具は、
第１端及び第２端を有する金属製の第１本体部と、
第３端及び第４端を有する金属製の第２本体部と、
上下方向に延びる中心軸線を有する支持部であって、前記第１本体部が前記第２本体部に対して前記中心軸線を中心に回転することにより前記第１端と前記第３端との距離及び前記第２端と前記第４端との距離が変化するように前記第１本体部及び前記第２本体部を支持する支持部であって、前記第１端と前記第３端とが最も近づいたときに前記第１本体部及び前記第２本体部が前後方向に延びるように前記第１本体部及び前記第２本体部を支持する支持部と、
前記第１本体部の前記第１端に接続され、操作者の指が挿入される第１リング部と、
前記第２本体部の前記第３端に接続され、前記操作者の指が挿入される第２リング部と、
を含んでおり、
前記第１端と前記第３端とが最も近づいたときに、前記無線ＩＣタグの少なくとも一部が、前記第１リング部の前端及び前記第２リング部の前端より前であって、前記支持部より後に位置し、かつ、前記第１端と前記第３端とが最も近づいたときに、前記インダクタの前記巻回軸線が上下方向に直交しかつ前後方向に交差するように、前記第１本体部又は前記第２本体部に前記無線ＩＣタグが固定されることで、前記共振回路と前記医療用金属製器具とが電界結合、磁界結合又は電磁界結合して、前記医療用金属製器具が（Ａ）及び／又は（Ｂ）を行い、
（Ａ）前記医療用金属製器具は、前記所定の共振周波数と等しい周波数を有し、かつ、前記共振回路から供給される送信信号を電磁波として放射する、
（Ｂ）前記医療用金属製器具は、前記所定の共振周波数と等しい周波数を有する受信信号を電磁波として受信し、かつ、前記共振回路に前記受信信号を供給する、
無線ＩＣタグ付き医療用金属製器具。
【請求項２】
前記インダクタの前記巻回軸線は、前記第１端と前記第３端とが最も近づいたときに、上下方向及び前後方向に直交する、
請求項１に記載の無線ＩＣタグ付き医療用金属製器具。
【請求項３】
前記医療用金属製器具は、日本医療機器名称におけるクラスＩに属する一般医療機器である、
請求項１又は請求項２のいずれかに記載の無線ＩＣタグ付き医療用金属製器具。
【請求項４】
前記医療用金属製器具は、鋼製小物である、
請求項１ないし請求項３のいずれかに記載の無線ＩＣタグ付き医療用金属製器具。
【請求項５】
前記無線ＩＣタグは、前記第１本体部又は前記第２本体部に樹脂接着剤により固定されている、
請求項１ないし請求項４のいずれかに記載の無線ＩＣタグ付き医療用金属製器具。
【請求項６】
前記無線ＩＣタグは、前記第１本体部又は前記第２本体部に溶接により固定されている、
請求項１ないし請求項４のいずれかに記載の無線ＩＣタグ付き医療用金属製器具。
【請求項７】
前記無線ＩＣタグは、下方向に見たときに、長方形状を有しており、
前記無線ＩＣタグの長辺は、下方向に見たときに、前後方向に延びており、
前記無線ＩＣタグは、前記第１本体部又は前記第２本体部に溶接されている固定部材を介して、前記第１本体部又は前記第２本体部に固定されており、
前記固定部材が前記第１本体部又は前記第２本体部に溶接されている溶接部は、前記無線ＩＣタグの前又は後に位置している、
請求項６に記載の無線ＩＣタグ付き医療用金属製器具。
【請求項８】
前記無線ＩＣタグ付き医療用金属製器具は、
樹脂部を、
更に備えており、
前記樹脂部が前記無線ＩＣタグを覆うことにより、前記無線ＩＣタグが露出していない、
請求項１ないし請求項７のいずれかに記載の無線ＩＣタグ付き医療用金属製器具。
【請求項９】
前記所定の共振周波数は、ＵＨＦ（Ｕｌｔｒａ  Ｈｉｇｈ  Ｆｒｅｑｕｅｎｃｙ）周波数帯域に属する、
請求項１ないし請求項８のいずれかに記載の無線ＩＣタグ付き医療用金属製器具。
【請求項１０】
前記無線ＩＣタグ付き医療用金属製器具は、電磁波を介して、リーダライタと通信する、
請求項１ないし請求項９のいずれかに記載の無線ＩＣタグ付き医療用金属製器具。
【発明の詳細な説明】
【技術分野】
【０００１】
本発明は、無線ＩＣタグ及び医療用金属製器具を備える無線ＩＣタグ付き医療用金属製器具に関する。
【背景技術】
【０００２】
従来の無線ＩＣタグに関する発明としては、例えば、特許文献１に記載の無線ＩＣデバイスが知られている。この無線ＩＣデバイスは、無線ＩＣチップ、共振回路及びアンテナを備えている。共振回路は、無線ＩＣチップに接続されている。共振回路は、所定の共振周波数を有している。アンテナは、共振回路から供給された送信信号を送信する、及び／又は、受信信号を受けて共振回路に供給する。
【先行技術文献】
【特許文献】
【０００３】
【特許文献１】特許第４０６９９５８号公報
【発明の概要】
【発明が解決しようとする課題】
【０００４】
ところで、特許文献１に記載の無線ＩＣデバイスが医療用金属製器具の分野において利用されることが提案されている。具体的には、剪刃や鉗子等の医療用金属製器具に無線ＩＣタグを取り付けて、無線ＩＣデバイスとして利用することが提案されている。この場合、医療用金属製器具は、アンテナとして機能する。これにより、医療用金属製器具の管理が容易となる。このような無線ＩＣデバイスでは、無線ＩＣデバイスの通信距離のばらつきを抑制することが求められている。【０００５】
そこで、本発明の目的は、無線ＩＣタグ付き医療用金属製器具の通信距離のばらつきを抑制できる無線ＩＣタグ付き医療用金属製器具を提供することである。
【課題を解決するための手段】
【０００６】
剪刃や鉗子等の医療用金属器具は、例えば、以下に説明する構造を備えている。剪刃や鉗子等の医療用金属器具は、第１本体部、第２本体部、支持部、第１リング部及び第２リング部を有している。第１本体部及び第２本体部は、前後方向に延びている。第１本体部は、第１端（後端）及び第２端（前端）を有する。第２本体部は、第３端（後端）及び第４端（前端）を有する。支持部は、第１本体部が第２本体部に対して回転するように、第１本体部及び第２本体部を支持している。第１リング部は、第１本体部の第１端に接続されている。第２リング部は、第２本体部の第３端に接続されている。【０００７】
このような剪刃や鉗子等の医療用金属製器具では、第１本体部と第１リング部との接続部分である第１端近傍及び第２本体部と第２リング部との接続部分である第３端近傍には、比較的に大きい面積を有する平坦な部分が存在する。そのため、通常、無線ＩＣタグが医療用金属製器具に固定される場合、無線ＩＣタグは第１端近傍又は第３端近傍に固定される。これにより、無線ＩＣタグを医療用金属製器具に容易に固定することができる。【０００８】
しかしながら、本願発明者は、以下に説明する理由により、無線ＩＣタグが第１端近傍又は第３端近傍に固定されると、無線ＩＣタグ付き医療用金属製器具の通信距離のばらつきが発生することを発見した。より詳細には、第１本体部と第１リング部との接続部分である第１端近傍及び第２本体部と第２リング部との接続部分である第３端近傍には、比較的に大きい面積を有する平坦な部分が存在する。無線ＩＣタグが比較的に大きい面積を有する平坦な部分に固定されると、無線ＩＣタグの方向にばらつきが発生しやすい。そのため、無線ＩＣタグと医療用金属製器具との結合にばらつきが発生する。その結果、無線ＩＣタグ付き医療用金属製器具の通信距離にばらつきが発生しやすい。【０００９】
そこで、本願発明者は、以下の条件を満たすように無線ＩＣタグを固定することに思い至った。  
・無線ＩＣタグの少なくとも一部が、第１リング部の前端及び第２リング部の前端より前であって、支持部より後に位置する。  
・無線ＩＣタグのインダクタの巻回軸線が上下方向に直交しかつ前後方向に交差する。【００１０】
第１本体部及び第２本体部は、第１リング部の前端及び第２リング部の前端より前であって、支持部より後の領域（以下では、第１領域と呼ぶ）では前後方向に延びている。第１本体部及び第２本体部の第１領域は、細い棒形状を有していることが多い。よって、第１本体部又は第２本体部の第１領域に無線ＩＣタグを固定する難易度は、第１端近傍又は第３端近傍に無線ＩＣタグを固定する難易度に比べて高い。そのため、当業者は、第１本体部又は第２本体部の第１領域に無線ＩＣタグを固定することを躊躇する。【００１１】
しかしながら、本願発明者は、以下に説明するように、無線ＩＣタグを第１本体部又は第２本体部の第１領域に固定することが好ましいことに思い至った。より詳細には、第１本体部及び第２本体部の第１領域は、細い棒形状を有しているので、細い平坦な部分を有していることが多い。細い平坦な部分に無線ＩＣタグを固定する難易度は、広い平坦な部分に無線ＩＣタグを固定する難易度に比べてやや高い。しかしながら、細い平坦な部分では、無線ＩＣタグを固定できる無線ＩＣタグの方向に制限が生じる。そのため、本願発明者は、細い平坦な部分に正確な方向で無線ＩＣタグを固定する難易度が広い平坦な部分に正確な方向で無線ＩＣタグを固定する難易度より低いことに気が付いた。すなわち、本願発明者は、無線ＩＣタグを正確な方向で第１本体部又は第２本体部に固定する場合には、第１端近傍及び第３端近傍よりも第１領域の方が好ましいことを発見した。【００１２】
更に、本願発明者は、無線ＩＣタグのインダクタの巻回軸線が上下方向に直交しかつ前後方向に交差するように、無線ＩＣタグを第１本体部又は第２本体部に固定することにより、無線ＩＣタグのインダクタと第１本体部又は第２本体部とを効果的に結合させることができることに思い至った。より詳細には、無線ＩＣタグのインダクタの巻回軸線が上下方向に直交しかつ前後方向に交差すると、無線ＩＣのインダクタの巻回軸線が第１本体部及び第２本体部の第１領域と交差する。これにより、無線ＩＣタグのインダクタが発生する磁束は、第１本体部及び第２本体部の第１領域を周回するようになる。第１本体部及び第２本体部の第１領域に電磁誘導により電流が発生しやすくなる。その結果、医療用金属製器具がアンテナとして機能しやすくなる。以上より、無線ＩＣタグ付き医療用金属製器具の通信距離にばらつきが発生することが抑制される。【００１３】
本発明は、上述した課題を解決するために、以下の構成を採用する。【００１４】
（１）の無線ＩＣタグ付き医療用金属製器具は、
巻回軸線を有するインダクタを含んでいる共振回路及び無線ＩＣチップを含んでいる無線ＩＣタグであって、前記共振回路は、前記無線ＩＣチップに電気的に接続され、かつ、所定の共振周波数を有している、前記無線ＩＣタグと、
医療用金属製器具と、
を備えており、
前記医療用金属製器具は、
第１端及び第２端を有する金属製の第１本体部と、
第３端及び第４端を有する金属製の第２本体部と、
上下方向に延びる中心軸線を有する支持部であって、前記第１本体部が前記第２本体部に対して前記中心軸線を中心に回転することにより前記第１端と前記第３端との距離及び前記第２端と前記第４端との距離が変化するように前記第１本体部及び前記第２本体部を支持する支持部であって、前記第１端と前記第３端とが最も近づいたときに前記第１本体部及び前記第２本体部が前後方向に延びるように前記第１本体部及び前記第２本体部を支持する支持部と、
前記第１本体部の前記第１端に接続され、操作者の指が挿入される第１リング部と、
前記第２本体部の前記第３端に接続され、前記操作者の指が挿入される第２リング部と、
を含んでおり、
前記第１端と前記第３端とが最も近づいたときに、前記無線ＩＣタグの少なくとも一部が、前記第１リング部の前端及び前記第２リング部の前端より前であって、前記支持部より後に位置し、かつ、前記第１端と前記第３端とが最も近づいたときに、前記インダクタの前記巻回軸線が上下方向に直交しかつ前後方向に交差するように、前記第１本体部又は前記第２本体部に前記無線ＩＣタグが固定されることで、前記共振回路と前記医療用金属製器具とが電界結合、磁界結合又は電磁界結合して、前記医療用金属製器具が（Ａ）及び／又は（Ｂ）を行い、
（Ａ）前記医療用金属製器具は、前記所定の共振周波数と等しい周波数を有し、かつ、前記共振回路から供給される送信信号を電磁波として放射する、
（Ｂ）前記医療用金属製器具は、前記所定の共振周波数と等しい周波数を有する受信信号を電磁波として受信し、かつ、前記共振回路に前記受信信号を供給する。【００１５】
（１）の無線ＩＣタグ付き医療用金属製器具によれば、無線ＩＣタグ付き医療用金属製器具の通信距離のばらつきを抑制できる。より詳細には、（１）の無線ＩＣタグ付き医療用金属製器具では、第１端と第３端とが最も近づいたときに、無線ＩＣタグの少なくとも一部が、第１リング部の前端及び第２リング部の前端より前であって、支持部より後に位置し、かつ、第１端と第３端とが最も近づいたときに、インダクタの巻回軸線が上下方向に直交しかつ前後方向に交差するように、第１本体部又は第２本体部に無線ＩＣタグが固定されることで、共振回路と医療用金属製器具とが電界結合、磁界結合又は電磁界結合する。以下では、第１リング部の前端及び第２リング部の前端より前であって、支持部より後の領域を第１領域と呼ぶ。第１本体部及び第２本体部の第１領域は、細い棒形状を有しているので、細い平坦な部分を有していることが多い。細い平坦な部分に無線ＩＣタグを固定する難易度は、広い平坦な部分に無線ＩＣタグを固定する難易度に比べてやや高い。しかしながら、細い平坦な部分では、無線ＩＣタグを固定できる無線ＩＣタグの方向に制限が生じる。そのため、細い平坦な部分に正確な方向で無線ＩＣタグを固定する難易度は、広い平坦な部分に正確な方向で無線ＩＣタグを固定する難易度より低い。これにより、無線ＩＣタグが正確な方向で医療用金属製器具に固定されるようになるので、無線ＩＣタグ付き医療用金属製器具の通信距離のばらつきが抑制される。【００１６】
更に、（１）の無線ＩＣタグ付き医療用金属製器具では、無線ＩＣタグのインダクタの巻回軸線が上下方向に直交しかつ前後方向に交差するように、無線ＩＣタグが第１本体部又は第２本体部に固定される。これにより、無線ＩＣタグのインダクタと第１本体部又は第２本体部とを効果的に結合させることができる。より詳細には、無線ＩＣタグのインダクタの巻回軸線が上下方向に直交しかつ前後方向に交差すると、無線ＩＣのインダクタの巻回軸線が第１本体部及び第２本体部の第１領域と交差する。これにより、無線ＩＣタグのインダクタが発生する磁束は、第１本体部及び第２本体部の第１領域を周回するようになる。第１本体部及び第２本体部の第１領域に電磁誘導により電流が発生しやすくなる。その結果、医療用金属製器具がアンテナとして機能しやすくなる。以上より、無線ＩＣタグ付き医療用金属製器具の通信距離にばらつきが発生することが抑制される。【００１７】
（２）の無線ＩＣタグ付き医療用金属製器具は、（１）の無線ＩＣタグ付き医療用金属製器具であって、
前記インダクタの前記巻回軸線は、前記第１端と前記第３端とが最も近づいたときに、上下方向及び前後方向に直交する。【００１８】
（２）の無線ＩＣタグ付き医療用金属製器具では、インダクタの巻回軸線は、第１端と第３端とが最も近づいたときに、上下方向及び前後方向に直交する。そのため、第１本体部及び第２本体部の第１領域に電磁誘導により電流がより発生しやすくなる。その結果、医療用金属製器具がアンテナとして機能しやすくなる。よって、無線ＩＣタグ付き医療用金属製器具の通信距離にばらつきが発生することが抑制される。【００１９】
（３）の無線ＩＣタグ付き医療用金属製器具は、（１）又は（２）のいずれかの無線ＩＣタグ付き医療用金属製器具であって、
前記医療用金属製器具は、日本医療機器名称におけるクラスＩに属する一般医療機器である。【００２０】
日本医療機器名称におけるクラスＩに属する一般医療機器に無線ＩＣタグを付すことが推奨されている。そこで、（３）の無線ＩＣタグ付き医療用金属製器具では、医療用金属製器具は、日本医療機器名称におけるクラスＩに属する一般医療機器である。【００２１】
（４）の無線ＩＣタグ付き医療用金属製器具は、（１）ないし（３）のいずれかの無線ＩＣタグ付き医療用金属製器具であって、
前記医療用金属製器具は、鋼製小物である。【００２２】
鋼製小物に無線ＩＣタグを付すことが推奨されている。そこで、（４）の無線ＩＣタグ付き医療用金属製器具では、医療用金属製器具は、鋼製小物である。【００２３】
（５）の無線ＩＣタグ付き医療用金属製器具は、（１）ないし（４）のいずれかの無線ＩＣタグ付き医療用金属製器具であって、
前記無線ＩＣタグは、前記第１本体部又は前記第２本体部に樹脂接着剤により固定されている。【００２４】
（５）の無線ＩＣタグ付き医療用金属製器具によれば、無線ＩＣタグが医療用金属製器具の第１本体部又は第２本体部に樹脂接着剤により固定されているので、無線ＩＣタグを第１本体部又は第２本体部に固定する固定部材等が不要である。そのため、無線ＩＣタグの第１本体部又は第２本体部への固定が容易になる。【００２５】
（６）の無線ＩＣタグ付き医療用金属製器具は、（１）ないし（４）のいずれかの無線ＩＣタグ付き医療用金属製器具であって、
前記無線ＩＣタグは、前記第１本体部又は前記第２本体部に溶接により固定されている。【００２６】
（６）の無線ＩＣタグ付き医療用金属製器具によれば、無線ＩＣタグは、医療用金属製器具の第１本体部又は第２本体部に溶接により固定されているので、温度変化などの環境変化により、無線ＩＣタグが第１本体部又は第２本体部から外れることが低減される。【００２７】
（７）の無線ＩＣタグ付き医療用金属製器具は、（６）の無線ＩＣタグ付き医療用金属製器具であって、
前記無線ＩＣタグは、下方向に見たときに、長方形状を有しており、
前記無線ＩＣタグの長辺は、下方向に見たときに、前後方向に延びており、
前記無線ＩＣタグは、前記第１本体部又は前記第２本体部に溶接されている固定部材を介して、前記第１本体部又は前記第２本体部に固定されており、
前記固定部材が前記第１本体部又は前記第２本体部に溶接されている溶接部は、前記無線ＩＣタグの前又は後に位置している。【００２８】
（８）の無線ＩＣタグ付き医療用金属製器具は、（１）ないし（７）のいずれかの無線ＩＣタグ付き医療用金属製器具であって、
前記無線ＩＣタグ付き医療用金属製器具は、
樹脂部を、
更に備えており、
前記樹脂部が前記無線ＩＣタグを覆うことにより、前記無線ＩＣタグが露出していない。【００２９】
（８）の無線ＩＣタグ付き医療用金属製器具は、無線ＩＣタグが樹脂部に覆われている。そのため、無線ＩＣタグが樹脂部により保護される。【００３０】
（９）の無線ＩＣタグ付き医療用金属製器具は、（１）ないし（８）のいずれかの無線ＩＣタグ付き医療用金属製器具であって、
前記所定の共振周波数は、ＵＨＦ（Ｕｌｔｒａ  Ｈｉｇｈ  Ｆｒｅｑｕｅｎｃｙ）周波数帯域に属する。【００３１】
（１０）の無線ＩＣタグ付き医療用金属製器具は、（１）ないし（９）のいずれかの無線ＩＣタグ付き医療用金属製器具であって、
前記無線ＩＣタグ付き医療用金属製器具は、電磁波を介して、リーダライタと通信する。【００３２】
この発明の上述の目的及びその他の目的、特徴、局面及び利点は、添付図面に関連して行われる以下のこの発明の実施形態の詳細な説明から一層明らかとなろう。【００３３】
本明細書にて使用される場合、用語「及び／又は（ａｎｄ／ｏｒ）」は１つの、又は複数の関連した列挙されたアイテム（ｉｔｅｍｓ）のあらゆる又は全ての組み合わせを含む。【００３４】
本明細書中で使用される場合、用語「含む、備える（ｉｎｃｌｕｄｉｎｇ）」、「含む、備える（ｃｏｍｐｒｉｓｉｎｇ）」又は「有する（ｈａｖｉｎｇ）」及びその変形の使用は、記載された特徴、工程、操作、要素、成分及び／又はそれらの等価物の存在を特定するが、ステップ、動作、要素、コンポーネント、及び／又は、それらのグループのうちの１つ又は複数を含むことができる。【００３５】
他に定義されない限り、本明細書で使用される全ての用語（技術用語及び科学用語を含む）は、本発明が属する当業者によって一般的に理解されるのと同じ意味を有する。【００３６】
一般的に使用される辞書に定義された用語のような用語は、関連する技術及び本開示の文脈における意味と一致する意味を有すると解釈されるべきであり、本明細書で明示的に定義されていない限り、理想的又は過度に形式的な意味で解釈されることはない。【００３７】
本発明の説明においては、技術及び工程の数が開示されていると理解される。これらの各々は個別の利益を有し、それぞれは、他の開示された技術の１つ以上、又は、場合によっては全てと共に使用することもできる。従って、明確にするために、この説明は、不要に個々のステップの可能な組み合わせの全てを繰り返すことを控える。それにもかかわらず、明細書及び特許請求の範囲は、そのような組み合わせが全て本発明及び特許請求の範囲内にあることを理解して読まれるべきである。【００３８】
以下の説明では、説明の目的で、本発明の完全な理解を提供するために多数の具体的な詳細を述べる。しかしながら、当業者には、これらの特定の詳細なしに本発明を実施できることが明らかである。本開示は、本発明の例示として考慮されるべきであり、本発明を以下の図面又は説明によって示される特定の実施形態に限定することを意図するものではない。
【発明の効果】
【００３９】
本発明によれば、無線ＩＣタグ付き医療用金属製器具の通信距離のばらつきを抑制できる。
【図面の簡単な説明】
【００４０】
【図１】図１は、一実施形態に係る無線ＩＣタグ付き医療用金属製器具１０ａの外観斜視図である。
【図２】図２は、無線ＩＣタグ１４の透視図である。
【図３】図３は、無線ＩＣタグ１４の等価回路図である。
【図４】図４は、図１のＡ−Ａにおける断面図である。
【図５】図５は、第１の変形例に係る無線ＩＣタグ付き医療用金属製器具１０ｂの断面図である。
【図６】図６は、第２の変形例に係る無線ＩＣタグ付き医療用金属製器具１０ｃの無線ＩＣタグ１４の外観斜視図である。
【発明を実施するための形態】
【００４１】
（実施形態）
［無線ＩＣタグ付き医療用金属製器具の構成］
次に、本発明の一実施形態に係る無線ＩＣタグ付き医療用金属製器具１０ａについて図面を参照しながら説明する。図１は、一実施形態に係る無線ＩＣタグ付き医療用金属製器具１０ａの外観斜視図である。なお、図１では、無線ＩＣタグ１４のブロック図も示した。図２は、無線ＩＣタグ１４の透視図である。図３は、無線ＩＣタグ１４の等価回路図である。図４は、図１のＡ−Ａにおける断面図である。
【００４２】
本明細書において、前後方向に延びる軸や部材は、必ずしも前後方向と平行である軸や部材だけを示すものではない。前後方向に延びる軸や部材とは、前後方向に対して±４５°の範囲で傾斜している軸や部材のことである。同様に、上下方向に延びる軸や部材とは、上下方向に対して±４５°の範囲で傾斜している軸や部材のことである。左右方向に延びる軸や部材とは、左右方向に対して±４５°の範囲で傾斜している軸や部材のことである。
【００４３】
本明細書において、第１部材が第２部材に支持されているとは、第１部材が第２部材に対して移動不可能に第２部材に取り付けられている（すなわち、固定されている）場合、及び、第１部材が第２部材に対して移動可能に第２部材に取り付けられている場合を含む。また、第１部材が第２部材に支持されているとは、第１部材が第２部材に直接に取り付けられている場合、及び、第１部材が第３部材を介して第２部材に取り付けられている場合の両方を含む。なお、第１部材、第２部材及び第３部材は、無線ＩＣタグ付き医療用金属製器具１０ａが含む構成である。
【００４４】
本明細書において、前後方向に並ぶ第１部材及び第２部材とは、以下の状態を示す。前後方向に垂直な方向に第１部材及び第２部材を見たときに、第１部材及び第２部材の両方が前後方向を示す任意の直線上に配置されている状態である。本明細書において、上下方向に見たときに前後方向に並ぶ第１部材及び第２部材とは、以下の状態を示す。上下方向に第１部材及び第２部材を見たときに、第１部材及び第２部材の両方が前後方向を示す任意の直線上に配置されている。この場合、上下方向とは異なる左右方向から第１部材及び第２部材を見ると、第１部材及び第２部材のいずれか一方が前後方向を示す任意の直線上に配置されていなくてもよい。なお、第１部材と第２部材とが接触していてもよい。第１部材と第２部材とが離れていてもよい。第１部材と第２部材との間に第３部材が存在していてもよい。この定義は、前後方向以外の方向にも適用される。
【００４５】
本明細書において、第１部材が第２部材の前に配置されるとは、以下の状態を指す。第１部材の少なくとも一部は、第２部材が前方向に平行移動するときに通過する領域内に配置されている。よって、第１部材は、第２部材が前方向に平行移動するときに通過する領域内に収まっていてもよいし、第２部材が前方向に平行移動するときに通過する領域から突出していてもよい。この場合、第１部材及び第２部材は、前後方向に並んでいる。この定義は、前後方向以外の方向にも適用される。
【００４６】
本明細書において、左右方向に見たときに、第１部材が第２部材の前に配置されるとは、以下の状態を指す。左右方向に見たときに、第１部材と第２部材が前後方向に並んでおり、かつ、左右方向に見たときに、第１部材の第２部材と対向する部分が、第２部材の前に配置される。この定義において、第１部材と第２部材は、３次元では、前後方向に並んでいなくてもよい。この定義は、前後方向以外の方向も適用される。
【００４７】
本明細書において、第１部材が第２部材より前に配置されるとは、以下の状態を指す。第１部材は、第２部材の前端を通り前後方向に直交する平面の前に配置される。この場合、第１部材及び第２部材は、前後方向に並んでいてもよく、並んでいなくてもよい。この定義は、前後方向以外の方向にも適用される。
【００４８】
本明細書において、特に断りのない場合には、第１部材の各部について以下のように定義する。第１部材の前部とは、第１部材の前半分を意味する。第１部材の後部とは、第１部材の後半分を意味する。第１部材の左部とは、第１部材の左半分を意味する。第１部材の右部とは、第１部材の右半分を意味する。第１部材の上部とは、第１部材の上半分を意味する。第１部材の下部とは、第１部材の下半分を意味する。第１部材の前端とは、第１部材の前方向の端を意味する。第１部材の後端とは、第１部材の後方向の端を意味する。第１部材の左端とは、第１部材の左方向の端を意味する。第１部材の右端とは、第１部材の右方向の端を意味する。第１部材の上端とは、第１部材の上方向の端を意味する。第１部材の下端とは、第１部材の下方向の端を意味する。第１部材の前端部とは、第１部材の前端及びその近傍を意味する。第１部材の後端部とは、第１部材の後端及びその近傍を意味する。第１部材の左端部とは、第１部材の左端及びその近傍を意味する。第１部材の右端部とは、第１部材の右端及びその近傍を意味する。第１部材の上端部とは、第１部材の上端及びその近傍を意味する。第１部材の下端部とは、第１部材の下端及びその近傍を意味する。
【００４９】
以下では、無線ＩＣタグ付き医療用金属製器具１０ａにおける前後方向を前後方向と呼ぶ。前後方向は、無線ＩＣタグ付き医療用金属製器具１０ａである剪刃の刃が延びる方向である。無線ＩＣタグ付き医療用金属製器具１０ａにおける上下方向を上下方向と呼ぶ。上下方向は、無線ＩＣタグ付き医療用金属製器具１０ａである剪刃の２枚の刃が重なる方向である。無線ＩＣタグ付き医療用金属製器具１０ａにおける左右方向を左右方向と呼ぶ。無線ＩＣタグ付き医療用金属製器具１０ａにおける前方向を前方向と呼ぶ。無線ＩＣタグ付き医療用金属製器具１０ａにおける後方向を後方向と呼ぶ。無線ＩＣタグ付き医療用金属製器具１０ａにおける左方向を左方向と呼ぶ。無線ＩＣタグ付き医療用金属製器具１０ａにおける右方向を右方向と呼ぶ。無線ＩＣタグ付き医療用金属製器具１０ａにおける上方向を上方向と呼ぶ。無線ＩＣタグ付き医療用金属製器具１０ａにおける下方向を下方向と呼ぶ。なお、上記上下方向、上記左右方向及び上記前後方向は、説明の便宜上、定義した方向である。したがって、上記上下方向、上記左右方向及び上記前後方向はそれぞれ、無線ＩＣタグ付き医療用金属製器具１０の使用時の実際の上下方向、左右方向及び前後方向と一致していなくてもよい。
【００５０】
無線ＩＣタグ付き医療用金属製器具１０ａは、図１に示すように、医療用金属製器具１２及び無線ＩＣタグ１４を備えている。なお、無線ＩＣタグ付き医療用金属製器具１０ａは、医療用金属製器具１２及び無線ＩＣタグ１４以外の構成をさらに備えていてもよい。
【００５１】
日本医療機器名称におけるクラスＩに属する一般医療機器に無線ＩＣタグ１４を付すことが推奨されている。そこで、医療用金属製器具１２は、例えば、日本医療機器名称におけるクラスＩに属する一般医療機器である。また、鋼製小物に無線ＩＣタグ１４を付すことが推奨されている。そこで、医療用金属製器具１２は、例えば、鋼製小物である。医療用金属製器具１２は、例えば、開口器、開創器、鉗子、持針器、剪刃である。本実施形態では、医療用金属製器具１２は、剪刃である。したがって、医療用金属製器具１２は、２枚の刃が離れた状態（以下、開いた状態）になることができる。また、医療用金属製器具１２は、図１に示すように、２枚の刃が重なった状態（以下、閉じた状態）になることができる。
【００５２】
医療用金属製器具１２は、金属により作製されている。本実施形態では、医療用金属製器具１２の全体が金属により作製されている。そのため、医療用金属製器具１２は、樹脂部分やゴム部分を含んでいない。医療用金属製器具１２は、例えば、鋼により作製されていてもよいし、鉄により作製されていてもよいし、銅により作製されていてもよいし、その他の金属や合金により作製されていてもよい。ただし、医療用金属製器具１２は、樹脂部分やゴム部分を含んでいてもよい。
【００５３】
医療用金属製器具１２は、第１本体部１４０、第２本体部１４２、支持部１４４、第１リング部１４６及び第２リング部１４８を含んでいる。第１本体部１４０は、第１端ｔ１及び第２端ｔ２を有する金属製の部材である。第１本体部１４０は、医療用金属製器具１２が閉じた状態では、前後方向に延びている。第１端ｔ１は、第１本体部１４０の後端である。第２端ｔ２は、第１本体部１４０の前端である。第１本体部１４０は、第１被支持部１４０ａ、第１直線部１４０ｂ及び第１刃部１４０ｃを含んでいる。第２本体部１４２は、第３端ｔ３及び第４端ｔ４を有する金属製の部材である。第２本体部１４２は、医療用金属製器具１２が閉じた状態では、前後方向に延びている。第３端ｔ３は、第２本体部１４２の後端である。第４端ｔ４は、第２本体部１４２の前端である。第２本体部１４２は、第２被支持部１４２ａ、第２直線部１４２ｂ及び第２刃部１４２ｃを含んでいる。以下では、閉じた状態の医療用金属製器具１２の構造について説明する。
【００５４】
第１被支持部１４０ａは、前後方向に延びる平板形状を有する。第２被支持部１４２ａは、前後方向に延びる平板形状を有する。第１被支持部１４０ａは、第２被支持部１４２ａの上に配置されている。
【００５５】
第１刃部１４０ｃは、第１被支持部１４０ａの前端から前方向に延びる平板形状を有する。第１刃部１４０ｃの右辺には刃が設けられている。第２刃部１４２ｃは、第２被支持部１４２ａの前端から前方向に延びる平板形状を有する。第２刃部１４２ｃの左辺には刃が設けられている。第１刃部１４０ｃは、第２刃部１４２ｃの上に配置されている。
【００５６】
第１直線部１４０ｂは、第１被支持部１４０ａの後端から後方向に延びる棒形状を有する。第１直線部１４０ｂの上面及び下面は、細い平坦面である。第２直線部１４２ｂは、第２被支持部１４２ａの後端から後方向に延びる棒形状を有する。第２直線部１４２ｂの上面及び下面は、細い平坦面である。第１直線部１４０ｂは、第２直線部１４２ｂの右に配置されている。このように、第１直線部１４０ｂと第２直線部１４２ｂとは、左右方向に並んでいる。
【００５７】
第１リング部１４６は、第１本体部１４０の第１端ｔ１に接続されている。すなわち、第１リング部１４６は、第１直線部１４０ｂの後端に接続されている。第１リング部１４６は、下方向に見たときに、円環形状を有している。第１リング部１４６には、操作者の指が挿入される。
【００５８】
第２リング部１４８は、第２本体部１４２の第３端ｔ３に接続されている。すなわち、第２リング部１４８は、第２直線部１４２ｂの後端に接続されている。第２リング部１４８は、下方向に見たときに、円環形状を有している。第２リング部１４８には、操作者の指が挿入される。第１リング部１４６は、第２リング部１４８の右に配置されている。
【００５９】
支持部１４４は、上下方向に延びる中心軸線を有する。支持部１４４は、第１本体部１４０が第２本体部１４２に対して支持部１４４の中心軸線を中心に回転することにより第１端ｔ１と第３端ｔ３との距離及び第２端ｔ２と第４端ｔ４との距離が変化するように第１本体部１４０及び第２本体部１４２を支持している。また、支持部１４４は、第１端ｔ１と第３端ｔ３とが最も近づいたときに、第１本体部１４０及び第２本体部１４２が前後方向に延びるように第１本体部１４０及び第２本体部１４２を支持している。第１端ｔ１と第３端ｔ３とが最も近づいたときとは、医療用金属製器具１２が図１に示すように閉じた状態であるときである。支持部１４４は、例えば、螺子である。支持部１４４は、第１被支持部１４０ａ及び第２被支持部１４２ａを上下方向に貫通している。これにより、第２本体部１４２は、第１本体部１４０に対して支持部１４４の中心軸線を中心に回転することができる。その結果、医療用金属製器具１２は、開いた状態と閉じた状態とになることができる。なお、支持部１４４は、第１本体部１４０又は第２本体部１４２と一体化されていてもよい。
【００６０】
無線ＩＣタグ１４は、図１に示すように、無線ＩＣチップ１８及び共振回路２０を含んでいる。なお、無線ＩＣタグ１４は、無線ＩＣチップ１８及び共振回路２０以外の構成を更に含んでいてもよい。
【００６１】
共振回路２０は、無線ＩＣチップ１８に電気的に接続されている。共振回路２０は、所定の共振周波数ｆ０を有している。共振回路２０は、巻回軸線Ａｘを有するインダクタＬを含む共振回路である。ＬＣ共振回路は、コンデンサＣ及びインダクタＬが並列接続されたＬＣ並列共振回路、又は、コンデンサＣ及びインダクタＬが直列接続されたＬＣ直列共振回路である。本実施形態では、図２及び図３に示すように、共振回路２０は、インダクタＬ及びコンデンサＣを含むＬＣ共振回路である。共振周波数ｆ０は、コンデンサＣの容量値及びインダクタＬのインダクタンス値により定まる。共振周波数ｆ０と等しい周波数を有する高周波信号がＬＣ並列共振回路に入力すると、ＬＣ並列共振回路のインピーダンスが最大となる。共振周波数ｆ０と等しい周波数を有する高周波信号がＬＣ直列共振回路に入力すると、ＬＣ直列共振回路のインピーダンスが最小となる。本実施形態では、共振回路２０は、図３に示すように、ＬＣ並列共振回路である。なお、コンデンサＣには、寄生容量が利用されてもよい。この場合、図２のようなチップコンデンサが不要である。
【００６２】
共振周波数ｆ０は、例えば、ＵＨＦ（Ｕｌｔｒａ  Ｈｉｇｈ  Ｆｒｅｑｕｅｎｃｙ）周波数帯域に属する。ＵＨＦ周波数帯域は、３００ＭＨｚ以上３ＧＨｚ以下の周波数が属する帯域である。
【００６３】
次に、無線ＩＣタグ１４の具体的構成について説明する。無線ＩＣタグ１４は、図２に示すように、直方体形状を有している。したがって、無線ＩＣタグ１４は、下方向に見たときに、長方形状を有している。そして、無線ＩＣタグ１４の長辺は、下方向に見たときに、前後方向に延びている。無線ＩＣタグ１４は、無線ＩＣチップ１８、共振回路２０及び本体１５０を含んでいる。
【００６４】
本体１５０は、直方体形状を有している。本体１５０は、本体下部１５２及び本体上部１５４を含んでいる。本体下部１５２は、例えば、積層体である。本体下部１５２は、直方体形状を有する。積層体は、左右方向に垂直な主面を有する複数の絶縁体層が左右方向に積層された構造を有する。ただし、積層体の積層方向は、上下方向であってもよいし、前後方向であってもよい。積層体は、例えば、ガラスエポキシ樹脂により作製されている。本体上部１５４は、例えば、樹脂部材である。本体上部１５４は、例えば、直方体形状を有する。樹脂部材は、例えば、エポキシ樹脂により作製されている。
【００６５】
無線ＩＣチップ１８は、半導体集積回路である。無線ＩＣチップ１８は、本体下部１５２の上面に実装されている。無線ＩＣチップ１８は、所定の情報を記憶する記憶部を含んでいる。また、無線ＩＣチップ１８は、記憶部が記憶している送信データで搬送波を変調して送信信号を生成する変調部を含んでいる。また、無線ＩＣチップ１８は、搬送波が受信データで変調された受信信号から受信データを復調する復調部を含んでいる。
【００６６】
共振回路２０は、コンデンサＣ及びインダクタＬを含んでいる。コンデンサＣは、チップ型コンデンサである。コンデンサＣは、本体下部１５２の上面に実装されている。インダクタＬは、本体下部１５２内に設けられている。インダクタＬは、ヘリックス形状を有している。ヘリックス形状は、３次元形状である。インダクタＬは、巻回軸線Ａｘを有している。巻回軸線Ａｘは、左右方向に延びている。インダクタＬは、巻回軸線Ａｘを中心に周回している。巻回軸線Ａｘは、右方向に見たときに、インダクタＬにより囲まれる領域の中心を通過する線である。中心とは、例えば、重心である。なお、インダクタＬは、スパイラル形状を有していてもよい。スパイラル形状は、２次元形状である。
【００６７】
インダクタＬは、複数の導体層及び複数のビアホール導体を含んでいる。具体的には、複数の導体層はそれぞれ、複数の絶縁体層の主面上に形成されている。複数の導体層はそれぞれ、右方向に見たときに、巻回軸線Ａｘの周りを周回している。複数のビアホール導体はそれぞれ、複数の絶縁体層を左右方向に貫通している。複数のビアホール導体はそれぞれ、左右方向に隣り合う導体層の端部同士を接続している。なお、インダクタＬは、複数回にわたって周回している。しかしながら、インダクタＬは、例えば、１周未満の長さで周回するループ形状を有していてもよい。
【００６８】
コンデンサＣ及びインダクタＬは、図３に示すように、配線（図２には図示せず）により、無線ＩＣチップ１８に並列接続されている。そのため、共振回路２０は、ＬＣ並列共振器である。
【００６９】
次に、無線ＩＣタグ１４の医療用金属製器具１２への固定について説明する。第１端ｔ１と第３端ｔ３とが最も近づいたときに、無線ＩＣタグ１４の少なくとも一部が、第１リング部１４６の前端Ｐ１及び第２リング部１４８の前端Ｐ２より前であって、支持部１４４より後に位置し、かつ、第１端ｔ１と第３端ｔ３とが最も近づいたときに、インダクタＬの巻回軸線Ａｘが上下方向に直交しかつ前後方向に交差するように、第１本体部１４０又は第２本体部１４２に無線ＩＣタグ１４が固定されることで、共振回路２０と医療用金属製器具１２とが電界結合、磁界結合又は電磁界結合して、医療用金属製器具１２が後述する（Ａ）及び／又は（Ｂ）を行う。
【００７０】
より詳細には、医療用金属製器具１２が閉じた状態であるときに、第１リング部１４６の前端Ｐ１及び第２リング部１４８の前端Ｐ２より前であって、支持部１４４より後の領域を第１領域Ａと定義する。無線ＩＣタグ１４の少なくとも一部は、第１領域Ａに位置している。本実施形態では、医療用金属製器具１２の全体は、第１領域Ａに位置している。更に、医療用金属製器具１２が閉じた状態であるときに、インダクタＬの巻回軸線Ａｘは、上下方向に直交し、かつ、前後方向に交差している。本実施形態では、医療用金属製器具１２が閉じた状態であるときに、インダクタＬの巻回軸線Ａｘは、上下方向及び前後方向に直交している。すなわち、インダクタＬの巻回軸線Ａｘは、左右方向に延びている。なお、２本の直線が交差するとは、２本の直線が平行ではないこと及び２本の直線がねじれの関係ではないことを意味する。２本の直線が直交するとは、２本の直線が９０度をなすほかに、２本の直線が９０度からわずかにずれた角度をなす場合も含む。なお、わずかにずれた角度とは、例えば、１０度である。
【００７１】
無線ＩＣタグ１４は、図１に示すように、第１直線部１４０ｂの上面に固定されている。ただし、無線ＩＣタグ１４は、第１本体部１４０及び第２本体部１４２の第１領域Ａに固定されていればよい。そのため、無線ＩＣタグ１４は、第１直線部１４０ｂの下面に固定されていてもよい。また、無線ＩＣタグ１４は、第２直線部１４２ｂの上面又は下面に固定されていてもよい。また、無線ＩＣタグ１４は、第１被支持部１４０ａの上面又は第２被支持部１４２ａの下面に固定されていてもよい。無線ＩＣタグ１４は、図４に示すように、第１本体部１４０に樹脂接着剤２４により固定されている。ただし、無線ＩＣタグ１４は、第２本体部１４２に樹脂接着剤２４により固定されてもよい。
【００７２】
また、共振回路２０と医療用金属製器具１２とが電界結合するとは、例えば、共振回路２０から医療用金属製器具１２に送信信号が電界により供給されること、及び／又は、医療用金属製器具１２から共振回路２０に受信信号が電界により供給されることを意味する。共振回路２０と医療用金属製器具１２とが磁界結合するとは、例えば、共振回路２０から医療用金属製器具１２に送信信号が磁界により供給されること、及び／又は、医療用金属製器具１２から共振回路２０に受信信号が磁界により供給されることを意味する。共振回路２０と医療用金属製器具１２とが電磁界結合するとは、例えば、共振回路２０から医療用金属製器具１２に送信信号が電磁界により供給されること、及び／又は、医療用金属製器具１２から共振回路２０に受信信号が電磁界により供給されることを意味する。
【００７３】
（Ａ）医療用金属製器具１２は、共振周波数ｆ０と等しい周波数を有し、かつ、共振回路２０から供給される送信信号を電磁波として放射する。
【００７４】
より詳細には、無線ＩＣチップ１８は、共振周波数ｆ０と等しい周波数を有する搬送波を送信データで変調した送信信号を生成する。共振回路２０は、無線ＩＣチップ１８から供給される送信信号により共振する。これにより、インダクタＬは、左右方向に延びる磁束を発生する。この磁束は、後方向に見たときに、医療用金属製器具１２の周囲を周回する。従って、共振回路２０と医療用金属製器具１２とは、磁界結合している。これにより、医療用金属製器具１２には、前後方向に電流が流れる。ただし、磁束の方向は、共振周波数ｆ０で変動するので、電流の方向も、共振周波数ｆ０で変動する。このようにして、共振回路２０は、共振周波数ｆ０と等しい周波数を有する送信信号を医療用金属製器具１２に供給する。共振回路２０が医療用金属製器具１２に供給する共振周波数ｆ０以外の周波数を有する信号の強度は、共振回路２０が医療用金属製器具１２に供給する共振周波数ｆ０と等しい周波数を有する送信信号の強度に比べて低い。医療用金属製器具１２は、共振回路２０から供給された送信信号を電磁波として放射する。すなわち、医療用金属製器具１２は、電磁波を放射するアンテナとして機能する。このとき、医療用金属製器具１２は、医療用金属製器具１２の全体から電磁波を放射する。リーダライタ１００は、この電磁波を受信することにより、送信信号を受信する。本明細書において、共振周波数ｆ０と等しい周波数を有する送信信号とは、送信信号の周波数が共振周波数ｆ０と完全一致する場合、及び、送信信号の周波数が共振周波数ｆ０から僅かにずれた周波数である場合を含む。共振周波数ｆ０から僅かにずれたとは、例えば、数十ＭＨｚ程度ずれたことを意味する。
【００７５】
（Ｂ）医療用金属製器具１２は、共振周波数ｆ０と等しい周波数を有する受信信号を電磁波として受信し、かつ、共振回路２０に受信信号を供給する。
【００７６】
より詳細には、リーダライタ１００は、共振周波数ｆ０と等しい周波数を有する搬送波を受信データで変調した受信信号を電磁波として放射する。医療用金属製器具１２は、共振周波数ｆ０と等しい周波数を有する搬送波を受信データで変調した受信信号を電磁波として受信する。すなわち、医療用金属製器具１２は、電磁波を受信するアンテナとして機能する。このとき、医療用金属製器具１２には、前後方向に電流が流れる。ただし、医療用金属製器具１２が受信する磁界の方向は、共振周波数ｆ０で変動するので、医療用金属製器具１２に流れる電流の方向も、共振周波数ｆ０で変動する。その結果、後方向に見たときに、電磁誘導により医療用金属製器具１２の周囲を周回する磁界が発生する。この磁界は、インダクタＬ内を左右方向に通過する。また、インダクタＬ内を通過する磁界の方向は、共振周波数ｆ０で変動する。これにより、共振回路２０は、インダクタＬ内を左右方向に通過する磁界により共振して、共振周波数ｆ０と等しい周波数を有する受信信号を無線ＩＣタグ１４に供給する。このとき、医療用金属製器具１２が共振回路２０に供給する共振周波数ｆ０以外の周波数を有する信号の強度は、医療用金属製器具１２が共振回路２０に供給する共振周波数ｆ０と等しい周波数を有する受信信号の強度に比べて低い。共振回路２０は、医療用金属製器具１２から供給される受信信号により共振する。共振回路２０は、共振周波数ｆ０と等しい周波数を有する受信信号を無線ＩＣチップ１８に供給する。無線ＩＣチップ１８は、受信信号を復調して受信データを取得する。本明細書において、共振周波数ｆ０と等しい周波数を有する受信信号とは、受信信号の周波数が共振周波数ｆ０と完全一致する場合、及び、受信信号の周波数が共振周波数ｆ０から僅かにずれた周波数である場合を含む。共振周波数ｆ０から僅かにずれたとは、例えば、数十ＭＨｚ程度ずれたことを意味する。
【００７７】
なお、無線ＩＣタグ付き医療用金属製器具１０ａは、例えば、リーダライタ１００から送信されてくる受信信号を受信すると共に、この受信信号の一部を反射して送信信号を送信する。具体的には、無線ＩＣタグ付き医療用金属製器具１０ａでは、医療用金属製器具１２が（Ｂ）を行う。これにより、無線ＩＣチップ１８は、受信信号を復調して受信データを取得する。応じて、無線ＩＣチップ１８は、医療用金属製器具１２が受信した受信信号の搬送波を送信データで変調した送信信号を生成する。共振回路２０は、無線ＩＣチップ１８から供給される送信信号により共振する。共振回路２０は、共振周波数ｆ０と等しい周波数を有する送信信号を医療用金属製器具１２に供給する。この後、医療用金属製器具１２が（Ａ）を行う。
【００７８】
ところで、無線ＩＣタグ付き物品とリーダライタとが磁界を介して通信を行う場合がある。このような磁界を介した通信では、ＨＦ周波数帯域に属する高周波信号が用いられる。そこで、コイルアンテナが無線ＩＣタグに接続される。そして、リーダライタとコイルアンテナとが磁界結合することにより、リーダライタと無線ＩＣタグ付き物品とが通信する。一方、無線ＩＣタグ付き医療用金属製器具１０ａは、電磁波を介して、リーダライタ１００と通信する。すなわち、無線ＩＣタグ付き医療用金属製器具１０ａは、ＵＨＦ周波数帯域に属する高周波信号を介して、リーダライタ１００と通信する。そこで、医療用金属製器具１２は、磁界ではなく電磁波を放射する。医療用金属製器具１２は、コイルアンテナではない。従って、医療用金属製器具１２は、コイル形状を有していない。すなわち、医療用金属製器具１２は、スパイラル形状又はヘリックス形状を有していない。
【００７９】
また、医療用金属製器具１２は、共振周波数ｆ０の半波長の整数倍と等しい電気長を有していてもよいし、有していなくてもよい。医療用金属製器具１２が共振周波数ｆ０の半波長の整数倍と等しい電気長を有する場合、医療用金属製器具１２はダイポールアンテナとして機能する。これにより、医療用金属製器具１２において定在波が発生する。例えば、医療用金属製器具１２が共振周波数ｆ０の半波長と等しい電気長を有する場合、共振周波数ｆ０と医療用金属製器具１２の共振周波数とが一致する。
【００８０】
ただし、無線ＩＣタグ付き医療用金属製器具１０ａは、医療用金属製器具１２の電気長に関わらず、高周波信号を送信及び／又は受信できる点において優れている。すなわち、医療用金属製器具１２の電気長が共振周波数ｆ０の半波長の整数倍と等しくない場合であっても、無線ＩＣタグ付き医療用金属製器具１０ａは、高周波信号を送信及び／又は受信できる。無線ＩＣタグ付き医療用金属製器具１０ａがこのような利点を発揮するために、無線ＩＣタグ付き医療用金属製器具１０ａでは、送信信号の周波数及び受信信号の周波数が共振回路２０の共振周波数ｆ０と等しい。更に、共振回路２０は、無線ＩＣチップ１８と医療用金属製器具１２とのインピーダンス整合を取る整合回路としても機能する。そのため、共振回路２０のインピーダンスは、無線ＩＣチップ１８のインピーダンスと等しい。更に、共振回路２０と医療用金属製器具１２とが電界結合、磁界結合又は電磁界結合している。そのため、共振回路２０と医療用金属製器具１２とが電気的に導通していない。よって、共振回路２０と医療用金属製器具１２とが比較的に弱く電界結合、磁界結合又は電磁界結合している。これにより、医療用金属製器具１２の電気長が変動しても、共振回路２０の共振周波数ｆ０及び共振回路２０のインピーダンスが変動しにくい。その結果、医療用金属製器具１２の電気長に関わらず、共振周波数ｆ０の高周波信号により、共振回路２０が共振するようになる。更に、医療用金属製器具１２の電気長に関わらず、無線ＩＣチップ１８と医療用金属製器具１２とのインピーダンス整合が取られやすくなる。よって、無線ＩＣタグ付き医療用金属製器具１０ａでは、医療用金属製器具１２の電気長に関わらず、共振周波数ｆ０の周波数を有する高周波信号を送信及び／又は受信できる。なお、無線ＩＣタグ１４は、共振回路２０とは別に、整合回路を含んでいてもよい。ただし、共振回路２０の外には、整合回路が設けられていない。
【００８１】
上記のように医療用金属製器具１２の電気長が共振周波数ｆ０の半波長の整数倍と等しくない場合、医療用金属製器具１２では、共振周波数ｆ０での共振が殆ど発生していない。すなわち、共振周波数ｆ０の半波長と等しい長さの定在波は、医療用金属製器具１２において殆ど発生していない。この場合、共振周波数ｆ０は、医療用金属製器具１２において発生し得る定在波の周波数と異なっている。以上のような観点から、医療用金属製器具１２は、共振周波数ｆ０の半波長の整数倍と等しい電気長を有していなくてもよい。
【００８２】
［効果］
無線ＩＣタグ付き医療用金属製器具１０ａによれば、無線ＩＣタグ付き医療用金属製器具１０ａの通信距離のばらつきを抑制できる。より詳細には、無線ＩＣタグ付き医療用金属製器具１０ａでは、第１端ｔ１と第３端ｔ３とが最も近づいたときに、無線ＩＣタグ１４の少なくとも一部が、第１リング部１４６の前端Ｐ１及び第２リング部１４８の前端Ｐ２より前であって、支持部１４４より後に位置し、かつ、第１端ｔ１と第３端ｔ３とが最も近づいたときに、インダクタＬの巻回軸線Ａｘが上下方向に直交しかつ前後方向に交差するように、第１本体部１４０又は第２本体部１４２に無線ＩＣタグ１４が固定されることで、共振回路２０と医療用金属製器具１２とが電界結合、磁界結合又は電磁界結合する。以下では、第１リング部１４６の前端Ｐ１及び第２リング部１４８の前端Ｐ２より前であって、支持部１４４より後の領域を第１領域Ａと呼ぶ。第１本体部１４０及び第２本体部１４２の第１領域Ａは、細い棒形状を有しているので、細い平坦な部分を有していることが多い。細い平坦な部分に無線ＩＣタグ１４を固定する難易度は、広い平坦な部分に無線ＩＣタグ１４を固定する難易度に比べてやや高い。しかしながら、細い平坦な部分では、無線ＩＣタグ１４を固定できる無線ＩＣタグ１４の方向に制限が生じる。そのため、細い平坦な部分に正確な方向で無線ＩＣタグ１４を固定する難易度は、広い平坦な部分に正確な方向で無線ＩＣタグ１４を固定する難易度より低い。これにより、無線ＩＣタグ１４が正確な方向で医療用金属製器具１２に固定されるようになるので、無線ＩＣタグ付き医療用金属製器具１０ａの通信距離のばらつきが抑制される。
【００８３】
更に、無線ＩＣタグ付き医療用金属製器具１０ａでは、無線ＩＣタグ１４のインダクタＬの巻回軸線Ａｘが上下方向に直交しかつ前後方向に交差するように、無線ＩＣタグ１４が第１本体部１４０又は第２本体部１４２に固定される。これにより、無線ＩＣタグ１４のインダクタＬと第１本体部１４０又は第２本体部１４２とを効果的に結合させることができる。より詳細には、無線ＩＣタグ１４のインダクタＬの巻回軸線Ａｘが上下方向に直交しかつ前後方向に交差すると、無線ＩＣ１４のインダクタＬの巻回軸線Ａｘが第１本体部１４０及び第２本体部１４２の第１領域Ａと交差する。これにより、無線ＩＣタグ１４のインダクタＬが発生する磁束は、第１本体部１４０及び第２本体部１４２の第１領域Ａを周回するようになる。第１本体部１４０及び第２本体部１４２の第１領域Ａに電磁誘導により電流が発生しやすくなる。その結果、医療用金属製器具１２がアンテナとして機能しやすくなる。以上より、無線ＩＣタグ付き医療用金属製器具１０ａの通信距離にばらつきが発生することが抑制される。
【００８４】
また、無線ＩＣタグ付き医療用金属製器具１０ａによれば、インダクタＬの巻回軸線Ａｘは、第１端ｔ１と第３端ｔ３とが最も近づいたときに、上下方向及び前後方向に直交する。そのため、第１本体部１４０及び第２本体部１４２の第１領域Ａに電磁誘導により電流がより発生しやすくなる。その結果、医療用金属製器具１２がアンテナとして機能しやすくなる。よって、無線ＩＣタグ付き医療用金属製器具１０ａの通信距離にばらつきが発生することが抑制される。
【００８５】
無線ＩＣタグ付き医療用金属製器具１０ａによれば、無線ＩＣタグ１４が医療用金属製器具１２の第１本体部１４０又は第２本体部１４２に樹脂接着剤により固定されてもよいので、無線ＩＣタグ１４を第１本体部１４０又は第２本体部１４２に固定する固定部材等が不要である。そのため、無線ＩＣタグ１４の第１本体部１４０又は第２本体部１４２への固定が容易になる。
【００８６】
無線ＩＣタグ付き医療用金属製器具１０ａによれば、無線ＩＣタグ１４は、医療用金属製器具１２の第１本体部１４０又は第２本体部１４２に溶接により固定されてもよいので、温度変化などの環境変化により、無線ＩＣタグ１４が第１本体部１４０又は第２本体部１４２から外れることが低減される。
【００８７】
（第１の変形例）
次に、第１の変形例に係る無線ＩＣタグ付き医療用金属製器具１０ｂについて図面を参照しながら説明する。図５は、第１の変形例に係る無線ＩＣタグ付き医療用金属製器具１０ｂの断面図である。
【００８８】
無線ＩＣタグ付き医療用金属製器具１０ｂは、樹脂部５０をさらに備えている点において無線ＩＣタグ付き医療用金属製器具１０ａと相違する。樹脂部５０が無線ＩＣタグ１４を覆うことにより、無線ＩＣタグ１４が露出していない。無線ＩＣタグ付き医療用金属製器具１０ｂのその他の構成は、無線ＩＣタグ付き医療用金属製器具１０ａと同じであるので説明を省略する。
【００８９】
無線ＩＣタグ付き医療用金属製器具１０ｂによれば、無線ＩＣタグ付き医療用金属製器具１０ａと同じ理由により、無線ＩＣタグ付き医療用金属製器具１０ｂの通信距離にばらつきが発生することを抑制できる。また、無線ＩＣタグ付き医療用金属製器具１０ｂによれば、無線ＩＣタグ付き医療用金属製器具１０ａと同じ理由により、無線ＩＣタグ１４の第１本体部１４０又は第２本体部１４２への固定が容易になる。
【００９０】
無線ＩＣタグ付き医療用金属製器具１０ｂによれば、無線ＩＣタグ１４が樹脂部５０により保護される。
【００９１】
（第２の変形例）
次に、第２の変形例に係る無線ＩＣタグ付き医療用金属製器具１０ｃについて図面を参照しながら説明する。図６は、第２の変形例に係る無線ＩＣタグ付き医療用金属製器具１０ｃの無線ＩＣタグ１４の外観斜視図である。
【００９２】
無線ＩＣタグ付き医療用金属製器具１０ｃは、無線ＩＣタグ１４の固定方法において、無線ＩＣタグ付き医療用金属製器具１０ａと相違する。より詳細には、無線ＩＣタグ付き医療用金属製器具１０ｃでは、無線ＩＣタグ１４は、第１本体部１４０又は第２本体部１４２に溶接により固定されている。無線ＩＣタグ付き医療用金属製器具１０ｃは、固定部材２００ａ，２００ｂを備えている。そして、無線ＩＣタグ１４は、第１本体部１４０又は第２本体部１４２に溶接されている固定部材２００ａ，２００ｂを介して、第１本体部１４０又は第２本体部１４２に固定されている。本実施形態では、無線ＩＣタグ１４は、第１本体部１４０に溶接されている固定部材２００ａ，２００ｂを介して、第１本体部１４０に固定されている。
【００９３】
固定部材２００ａ，２００ｂは、金属部材である。固定部材２００ａは、無線ＩＣタグ１４の本体１５０の上面及び前面に接している。そして、固定部材２００ａの前端部は、溶接部２０２ａを介して第１本体部１４０に固定されている。したがって、固定部材２００ａが第１本体部１４０に溶接されている溶接部２０２ａは、無線ＩＣタグ１４の前に位置している。
【００９４】
固定部材２００ｂは、固定部材２００ａと同じ構造を有している。具体的には、固定部材２００ｂは、無線ＩＣタグ１４の本体１５０の上面及び後面に接している。そして、固定部材２００ｂの後端部は、溶接部２０２ｂを介して第１本体部１４０に固定されている。したがって、固定部材２００ｂが第１本体部１４０に溶接されている溶接部２０２ｂは、無線ＩＣタグ１４の後に位置している。
【００９５】
なお、無線ＩＣタグ１４は、樹脂部（図６では図示せず）により覆われていてもよい。
【００９６】
なお、無線ＩＣタグ１４は、固定部材２００ａ，２００ｂを介して、第２本体部１４２に固定されてもよい。この場合、固定部材２００ａが第２本体部１４２に溶接されている溶接部２０２ａは、無線ＩＣタグ１４の前に位置する。固定部材２００ｂが第２本体部１４２に溶接されている溶接部２０２ｂは、無線ＩＣタグ１４の後に位置する。
【００９７】
無線ＩＣタグ付き医療用金属製器具１０ｃによれば、無線ＩＣタグ付き医療用金属製器具１０ａと同じ理由により、無線ＩＣタグ付き医療用金属製器具１０ｃの通信距離にばらつきが発生することを抑制できる。無線ＩＣタグ付き医療用金属製器具１０ｃによれば、無線ＩＣタグ付き医療用金属製器具１０ｂと同じ理由により、無線ＩＣタグ１４が樹脂部により保護される。
【００９８】
無線ＩＣタグ付き医療用金属製器具１０ｃによれば、温度変化などの環境変化により、無線ＩＣタグ１４が第１本体部１４０又は第２本体部１４２から外れることが低減される。
【００９９】
（その他の実施形態）
本明細書において記載と図示の少なくとも一方がなされた実施形態及び実施例は、本開示の理解を容易にするためのものであって、本開示の思想を限定するものではない。上記の実施形態及び実施例は、その趣旨を逸脱することなく変更・改良され得る。
【０１００】
当該趣旨は、本明細書に開示された実施形態及び実施例に基づいて当業者によって認識されうる、均等な要素、修正、削除、組み合わせ（例えば、実施形態及び実施例に跨る特徴の組み合わせ）、改良、変更を包含する。特許請求の範囲における限定事項は当該特許請求の範囲で用いられた用語に基づいて広く解釈されるべきであり、本明細書あるいは本願のプロセキューション中に記載された実施形態及び実施例に限定されるべきではない。そのような実施形態及び実施例は非排他的であると解釈されるべきである。例えば、本明細書において、「好ましくは」、「よい」という用語は非排他的なものであって、「好ましいがこれに限定されるものではない」、「よいがこれに限定されるものではない」ということを意味する。
【符号の説明】
【０１０１】
１０ａ〜１０ｃ：無線ＩＣタグ付き医療用金属製器具
１２：医療用金属製器具
１４：無線ＩＣタグ
１８：無線ＩＣチップ
２０：共振回路
２４：樹脂接着剤
５０：樹脂部
１００：リーダライタ
１４０：第１本体部
１４０ａ：第１被支持部
１４０ｂ：第１直線部
１４０ｃ：第１刃部
１４２：第２本体部
１４２ａ：第２被支持部
１４２ｂ：第２直線部
１４２ｃ：第２刃部
１４４：支持部
１４６：第１リング部
１４８：第２リング部
１５０：本体
１５２：本体下部
１５４：本体上部
２００ａ，２００ｂ：固定部材
２０２ａ，２０２ｂ：溶接部
Ａ：第１領域
Ａｘ：巻回軸線
Ｃ：コンデンサ
Ｌ：インダクタ
Ｐ１，Ｐ２：前端
ｔ１：第１端
ｔ２：第２端
ｔ３：第３端
ｔ４：第４端
【要約】
本発明に係る無線ＩＣタグ付き医療用金属製器具は、無線ＩＣタグの少なくとも一部が、第１リング部の前端及び第２リング部の前端より前であって、支持部より後に位置し、かつ、インダクタの巻回軸線が上下方向に直交しかつ前後方向に交差するように、第１本体部又は第２本体部に無線ＩＣタグが固定されることで、共振回路と医療用金属製器具とが電界結合、磁界結合又は電磁界結合して、医療用金属製器具が（Ａ）及び／又は（Ｂ）を行う。（Ａ）医療用金属製器具は、所定の共振周波数と等しい周波数を有し、かつ、共振回路から供給される送信信号を電磁波として放射する。（Ｂ）医療用金属製器具は、所定の共振周波数と等しい周波数を有する受信信号を電磁波として受信し、かつ、共振回路に受信信号を供給する。【図１】
0006912023.tif 000002
【図２】
0006912023.tif 000003
【図３】
0006912023.tif 000004
【図４】
0006912023.tif 000005
【図５】
0006912023.tif 000006
【図６】
0006912023.tif 000007